(57)【特許請求の範囲】
【請求項１】
弾球遊技機の本体枠に着脱自在に固定される遊技盤と、本体枠に開閉自在に支持されて遊技盤を覆うガラス扉と、本体枠の左側部に設けられて遊技盤の下方に位置し、遊技盤の遊技域に向けて遊技球を球射出用溝を介し上方に射出する遊技球射出装置と、外部から送給される遊技球を一時的に貯留する球補給タンクと、遊技球を球払出し装置に向け流下させて誘導する球誘導路からその外部に遊技球を分岐させることにより遊技球の球抜きを行う球抜き装置とを備え、
球射出用溝の左右両側部に、遊技盤の遊技域に到達せずに落下してきた遊技球を回収する回収口をそれぞれ隣接させて形成し、球補給タンクから補給される遊技球が２列になって流下するよう球誘導路を区画し、この球誘導路を本体枠の背面側に設けて上下方向に向けるとともに、この球誘導路を背面視で逆向きのＳ字形に形成した弾球遊技機の球抜き装置であって、
球抜き装置は、球誘導路の湾曲部分における路壁の一部を形成し、球誘導路に滞留している遊技球をその重さにより球払出し装置に案内する第１の案内位置から球誘導路の外部に案内する第２の案内位置に揺動変位可能な案内弁体と、この案内弁体に隣接して配置され、弾球遊技機の正面側からの操作に従い、案内弁体を第１の案内位置に保持する保持位置と第２の案内位置に揺動することを許容する揺動許容位置との間で揺動させる規制部材と、弾球遊技機の本体枠に摺動自在に配設され、規制部材を保持位置と揺動許容位置とに移動させる操作用バーとを含み、
案内弁体をその自重により第１の案内位置に位置するよう形成し、操作用バーのバー本体の正面側端部に、バー本体よりも大きな面積を有する操作部を形成し、この操作用バーに対向するガラス扉の対向位置には、操作用バーを押圧操作する球抜き棒を遊挿するための操作用孔を形成し、
規制部材は、案内弁体に当接する当接部と、この当接部を保持位置に常時位置させておくための弾性部とを有し、本体枠の背面側に配設した固定部材に、その本体枠の背面に対して直交する方向で揺動自在に支持されていることを特徴とする弾球遊技機の球抜き装置。
【発明の詳細な説明】
【０００１】
【発明の属する技術分野】
本発明は弾球遊技機に関し、特に、弾球遊技機内に滞留している遊技球を球誘導路外に分岐誘導して球抜きを行う弾球遊技機の球抜き装置に関するものである。
【０００２】
【従来の技術】
従来、この種の弾球遊技機の球抜き装置として、例えば特開２００１−２３９０３６号公報に記載されたものがある。図２２は、従来の弾球遊技機の概略背面図、図２３は、その要部を示す拡大詳細図である。
【０００３】
上記従来の弾球遊技機の球抜き装置Ｐは、多数の遊技球ａ…を一時的に貯留する球補給タンク１と、これの一側部側下方に配設した球払出し装置２とを連結する球誘導路３ａに、この球誘導路３ａ内及び球補給タンク１内に滞留している遊技球ａを外部に分岐排出することによって球抜きを行うものであり、本体枠９の背面側に配設したものである。
【０００４】
球抜き装置Ｐは、遊技球ａを球誘導路３ａに案内するロック位置（イ）と、遊技球ａを球抜き路３ｂに案内するアンロック位置（ロ）との間で揺動自在な切換弁５と、これをロック位置（イ）とアンロック位置（ロ）とに移動させるレバー部材６とを備えてなるものである。
【０００５】
レバー部材６は、切換え弁５のロックを行うロック部６ａと、図示しない弾性片部とを一体に形成したものであり、遊技球ａを球誘導路３ａに案内するときは、弾性片部の弾性力を利用して切換弁５を上記ロック位置（イ）にロックしておくようにしている。
【０００６】
また、遊技球ａを球抜き路３ｂに分岐排出するときは、レバー部材６を弾性片部の弾性力に抗して回動させることにより上記ロックを解除して、切換弁５を上記アンロック位置（ロ）に切り換えるようにしている。
【０００７】
【発明が解決しようとする課題】
しかしながら、上記従来の球抜き装置は、レバー部材６の操作を、本体枠９の側方から操作するようになっていたので、球抜き作業を行う度ごとに、本体枠９の開閉を行わなければならない。
【０００８】
また、球抜きを開始させるときと、球抜きを完了させるときの双方において、レバー部材６の操作を行う必要があるために、球抜き作業が煩雑である。
【０００９】
さらには、切換弁５のアンロック位置（ロ）からロック位置（イ）への移動と、当該切換弁５のロック位置（イ）からアンロック位置（ロ）への移動を、レバー部材６に連繋させているために、その構成を簡素化できないという欠点がある。
【００１０】
そこで本発明は、簡素な構成にしながらも、弾球遊技機の正面側からの簡単な操作によって、球抜き作業を迅速かつ容易に行うことができる弾球遊技機の球抜き装置の提供を目的としている。
【００１１】
【課題を解決するための手段】
本発明においては上記課題を達成するため、弾球遊技機の本体枠に着脱自在に固定される遊技盤と、本体枠に開閉自在に支持されて遊技盤を覆うガラス扉と、本体枠の左側部に設けられて遊技盤の下方に位置し、遊技盤の遊技域に向けて遊技球を球射出用溝を介し上方に射出する遊技球射出装置と、外部から送給される遊技球を一時的に貯留する球補給タンクと、遊技球を球払出し装置に向け流下させて誘導する球誘導路からその外部に遊技球を分岐させることにより遊技球の球抜きを行う球抜き装置とを備え、
球射出用溝の左右両側部に、遊技盤の遊技域に到達せずに落下してきた遊技球を回収する回収口をそれぞれ隣接させて形成し、球補給タンクから補給される遊技球が２列になって流下するよう球誘導路を区画し、この球誘導路を本体枠の背面側に設けて上下方向に向けるとともに、この球誘導路を背面視で逆向きのＳ字形に形成したものであって、
球抜き装置は、球誘導路の湾曲部分における路壁の一部を形成し、球誘導路に滞留している遊技球をその重さにより球払出し装置に案内する第１の案内位置から球誘導路の外部に案内する第２の案内位置に揺動変位可能な案内弁体と、この案内弁体に隣接して配置され、弾球遊技機の正面側からの操作に従い、案内弁体を第１の案内位置に保持する保持位置と第２の案内位置に揺動することを許容する揺動許容位置との間で揺動させる規制部材と、弾球遊技機の本体枠に摺動自在に配設され、規制部材を保持位置と揺動許容位置とに移動させる操作用バーとを含み、
案内弁体をその自重により第１の案内位置に位置するよう形成し、操作用バーのバー本体の正面側端部に、バー本体よりも大きな面積を有する操作部を形成し、この操作用バーに対向するガラス扉の対向位置には、操作用バーを押圧操作する球抜き棒を遊挿するための操作用孔を形成し、
規制部材は、案内弁体に当接する当接部と、この当接部を保持位置に常時位置させておくための弾性部とを有し、本体枠の背面側に配設した固定部材に、その本体枠の背面に対して直交する方向で揺動自在に支持されていることを特徴としている。
【００１８】
【発明の実施の形態】
本発明の実施の形態について、図面を参照して説明する。
図１は、一実施形態に係る本発明球抜き装置を装備した弾球遊技機の外観斜視図、図２は、その弾球遊技機の正面図、図３は、その弾球遊技機のガラス扉とオーナメントカバーとを取り外した状態の正面図、図４は、図３に包囲線Ｉで示す部分を側面から見た部分断面図である。
【００１９】
弾球遊技機であるぱちんこ機Ａは、詳細を後述する遊技盤８を配設した本体枠９の正面に、その遊技盤８を覆うガラス扉１０とオーナメントカバー１１とを上下にして開閉自在に取り付けた外観構成になっている。
【００２０】
本体枠９は、互いに所要の間隔にした縦枠部材９ａ，９ａの上下端部間に、横枠部材９ｂ，９ｂを横架してなる正面視縦長方形のものであり、その両縦枠部材９ａ，９ａのうちの一方のものの上半部側に、後述する操作用バー１２を摺動自在に支持するバーガイド部１３が形成されている。
なお、本実施形態では、本体枠９を合成樹脂により一体成形するとともに、その本体枠９を木製の外枠４に対し水平回動自在に支持している。
【００２１】
バーガイド部１３は、図４に示すように、縦枠部材９ａの正面側壁に凹陥形成された正面視縦長方形の浅底凹部１３ａの底壁１３ｂに、上記操作用バー１２を摺動自在に挿入ガイドする円筒形のガイド筒１４を固定したものである。なお、ガイド筒１４は図示しないリブ等により縦枠部材９ａに固定されている。
【００２２】
操作用バー１２は、詳細を後述する球抜き装置Ｂを操作するためのものであり、ガイド筒１４に遊挿する細長い円柱部１２ａの正面側端部に操作部１２ｂを形成したものであり、縦枠部材９ａの厚みとほぼ同じ全長になっている。
【００２３】
操作部１２ｂは、上記浅底凹部１３ａと同じ輪郭にした正面視縦長方形の正面壁１２ｃの周囲に側壁１２ｄを囲繞形成するとともに、その側壁１２ｄの上下部分の端縁に、浅底凹部１３ａの周壁端縁に係止する係止部１２ｅ，１２ｅを形成したものである。
【００２４】
側壁１２ｄは、浅底凹部１３ａの深さとほぼ同じ高さにして形成されており、これにより、操作用バー１２が最も正面側に移動しているときに、係止部１２ｅ，１２ｅが浅底凹部１３ａの側壁端縁に係止するようになっている。
これにより、操作用バー１２が、縦枠部材９ａの正面側に抜脱することがないようにしている。
【００２５】
本体枠９の正面であって遊技盤８の下部には、図３に示すように、遊技球射出装置Ｈがやや左側部寄りに、また、遊技球貯溜部１５がほぼ中央部分に配設されている。
【００２６】
遊技球射出装置Ｈは、球射出用溝Ｈａを通じ、下記の受け皿１６から供給される遊技球を上方に向けて射出するものであり、また、その球射出用溝Ｈａの両側には、後記する遊技域８ａに到達できずに落下した遊技球(ファール球)を回収するための回収口１７ａ，１７ｂが形成されている。
【００２７】
球射出用溝Ｈａは、これの射出始端部(下端部)よりも射出終端部(上端部)をガイドレール(後述する)１８に接近させた傾斜姿勢、換言すると、射出始端部から射出終端部に向けて、鉛直方向からガイドレール１８側に所要の角度だけ傾斜させた姿勢にして形成されている。
【００２８】
遊技球貯溜部１５は、上記回収口１７ａ，１７ｂと受け皿１６を連通する連通路途中に形成されており、それらの回収口１７ａ，１７ｂから受け皿１６に向かう遊技球を一時的に貯溜する容積(例えば球１０００個程度)に形成されている。なお、１５ａは遊技球の排出口である。
【００２９】
ガラス扉１０は、図１，２に示すように、略楕円形の窓穴１９ａを開設した縦長の方形枠１９に、詳細を後述する遊技盤８を視認できるガラス板２０を嵌め込んだものであり、その方形枠１９の上部中央には枠ランプ２１が、また、これの左右にはスピーカ２２，２２が配設されている。
【００３０】
上記ガラス扉１０であって、本体枠９に形成した上記バーガイド部１３に対向する位置には、図４に示す断面円形の球抜き棒２３を遊挿するための同じく断面円形の球抜き用操作孔１９ｂが形成されている。
なお、球抜き用操作孔１９ｂは例えば直径１mm程のものであり、遊技者が気づき難いようにしている。
【００３１】
図１，２に示すように、オーナメントカバー１１は横長のものであり、これの上半部側に、払い出された賞球を貯留する受け皿１６が形成されているとともに、下半部側には、遊技球を１発ずつ射出するための操作ハンドルＨｂと灰皿１１ａとが、受け皿１６を挟む両側下方に配設されている。なお、２４，２４は遊技球払出し用釦、２５は貸し球用釦である。
【００３２】
図３に示すように、遊技盤８は正面視略方形に形成されており、それには、ガイドレール１８，２６、及び飾り部材２７，２８をゲージ（図示しない）を囲繞するように配置することにより、遊技域８ａを区画形成している。
【００３３】
ガイドレール１８は一定幅の金属帯であり、それのガイド開始端部１８ａ側、すなわち下半部は、遊技盤８の左側下端部からほぼ鉛直上方に直線的に延出されているとともに、ガイド終了端部１８ｂ側、すなわち上半部は、遊技盤８の左側上端部から右側上端部に向けて所要曲率で湾曲形成されている。
【００３４】
ガイドレール２６は、ガイドレール１８と同じく一定幅の金属帯であり、これの一端部２６ａを、ガイドレール１８のガイド終了端部１８ｂに所要の間隔を保持して対向するように遊技盤８の右側下部に位置させ、かつ、他端部２６ｂを、ガイドレール１８の中間部に対し所要の間隔を保持して位置させるとともに、そのガイドレール１８の上半部とほぼ同じ曲率の半円弧形に形成されている。
すなわち、ガイドレール１８，２６により、遊技域８ａがほぼ円形に区画形成されていることになる。
【００３５】
ところで、上記の遊技域８ａには、例えばＬＣＤ（Liquid Crystal Display）によって構成された表示部２９、始動入賞口３０、４つの保留玉ランプ３１…、盤面ランプ３２，３２、電動役物３３、通常入賞口３４，３４、大入賞口３５及び風車３６…，３７…、スルーチャッカー３８，３８、アウト口３９等が適宜配設されている。なお、ゲージについては図示していない。
【００３６】
表示部２９は、特別図柄を変動表示させることができる特別図柄表示装置であり、遊技盤８のほぼ中央部分に配置されている。
ここで、特別図柄とは、例えば大当たり等の特別な遊技状態に移行することを示唆するような図柄を指し、例えば「７７７」等を挙げることができる。
【００３７】
始動入賞口３０は、表示部２９の下部に配置されており、これに遊技球が入賞することによって、その表示部２９の表示を変動させるものである。
【００３８】
保留玉ランプ３１…は、保留玉の個数、すなわち特別図柄作動記憶個数から１引いた変動記憶回数を表示するためのものである。
ここで、変動記憶回数は、変動を保留されている変動記憶の数を示し、特別図柄作動記憶個数は、変動中ならば変動記憶回数に１加算した値を、また、客待ち中ならば０を示す。
【００３９】
次に、弾球遊技機Ａの背面側の構成について説明する。図５は、弾球遊技機Ａの背面図、図６は、上記弾球遊技機Ａの制御回路を示すブロック図、図７は、球補給タンク，球整列タンク及び球抜き装置の拡大詳細図、図８は、図７に示す球抜き装置のカバーを外した状態の拡大背面図、図９は、図８に示すＩ‐Ｉ線に沿う断面図、図１０は、図８に示すＩＩ‐ＩＩ線に沿う断面図である。
【００４０】
図５に示すように、本体枠９の背面側、具体的には遊技盤８の裏面には、球補給タンク４０、球整列タンク４１、球抜き装置Ｂ、球払出し装置４２、主制御装置４３、電源装置４４、図柄制御装置４５、ランプ制御装置４６、音声制御装置４７、払出し制御装置４８、発射制御装置４９等が適宜配設されており、それらの詳細は次の通りである。
【００４１】
図５，７に示すように、球補給タンク４０は、外部から送給される多数の遊技球を一時的に貯留するように、前記遊技盤８背面の最上部に配設されており、それは、遊技盤８の背面及び平面視コ字形の周壁４０ａにより底壁４０ｂを四方から囲繞することにより、上面を開口した横長箱形に形成されている。
【００４２】
底壁４０ｂは、これの背面視左側部分に、平面視略方形の球排出口４０ｃが形成されており、その球排出口４０ｃから背面視右側部にかけて次第に高くなるように傾斜して形成されており、これにより、貯留している遊技球を球排出口４０ｃを通じて全て流下排出できるようにしている。
【００４３】
底壁４０ｂの右側部寄りには、図７に示すように、当該球補給タンク４０内に貯留されている遊技球が無くなったことを検出するための球切れレバー５０が取り付けられている。
また、底壁４０ｂの右側部寄り下方には、球切れレバー５０の変位により、球切れを検出する球切れ検出スイッチＳ１が配設されている。
【００４４】
球整列タンク４１は、上記球補給タンク４０の球排出口４０ｃの下方に位置する球受け端部４１ａから、背面視右側部の排出端部４１ｂに向けて次第に低くなる傾斜姿勢にして形成されており、球排出口４０ｃから排出した遊技球を２列に整列して流下させるものである。
【００４５】
球抜き装置Ｂは、球払出し装置４２に向けて遊技球ａを流下誘導する球誘導路５１から、この球誘導路５１外に遊技球ａを分岐させることによって球抜きを行うものであり、球誘導路５１の他、案内弁体５２及び弁体規制アッセンブリＣを有して構成されている。
【００４６】
球誘導路５１は、本体枠９の背面側、具体的には遊技盤８の裏面に固定する略縦長方形のベース板５３に一体にして形成されており、それは、ベース板５３の略中央部分に、上下辺縁部５３ａ，５３ｂに開口５１ａ，５１ｂを形成するとともに、両左右側部に向けて２つの曲部５１ｃ，５１ｄを設けた背面視逆向きＳ字形にして形成されている。
【００４７】
球誘導路５１は、図８〜１０に示すように、遊技球ａ…を流下誘導できる所要の間隔で立設した路壁５１ｅ，５１ｆによって形成されているとともに、これの内部は、区画壁５１ｇによって２つの通路、すなわち遊技球ａが２列にして流下するように区画形成されてなるものである。なお、各通路には、上記球整列タンク４１で２列に整列された遊技球が整然と流下補給されるようになっている。
【００４８】
球誘導路５１の路壁５１ｆであって、上側の曲部５１ｃを含む所定の長さ範囲には、球抜き用開口５１ｈが側面視縦長方形に形成されており、その球抜き用開口５１ｈを閉塞するようにして案内弁体５２が、ベース板５３に突設した軸５４を中心として揺動自在に支持されている。なお、図１１は、案内弁体の拡大背面図、図１２は、その側面図である。
【００４９】
案内弁体５２は、上記球誘導路５１を流下する遊技球ａ…を球払出し装置４２に向けて案内する第１の案内位置（ハ）と、その遊技球ａ…を球誘導路５１外に案内する第２の案内位置（二）との間で揺動自在になっている。
【００５０】
具体的には、球誘導路５１の路壁５１ｆの一部をなすように、換言すると、球抜き用開口５１ｈを閉じるように、背面視において路壁５１ｆと同じ形状となるように各通路に対応形成した案内片５２ａ，５２ａと、後述する弁体規制アッセンブリＣの規制部材５５に当接する当接部５２ｂとを形成してなるとともに、その当接部５２ｂと案内片５２ａ，５２ａとの間に、軸５４を遊挿する軸受け部５２ｃが形成されている。
要約すると、案内弁体５２は、上記球誘導路５１をなす路壁５１ｆの一部をなすように形成されている。
【００５１】
弁体規制アッセンブリＣは、背面視において、ベース板５３の右上部に配設されており、規制部材５５と固定部材５６とからなる。図１３は、弁体規制アッセンブリの背面図、図１４は、その側面図、図１５は、その平面図、図１６は、弁体規制アッセンブリの動作状態を示すものであり、規制部材が保持位置に移動している状態を示す平面図、図１７は、弁体規制アッセンブリの動作状態を示すものであり、規制部材が保持位置に移動している状態を示す平面図である。
【００５２】
固定部材５６は、上下端部に方形支持部５６ａ，５６ａを突設した縦長の側面視コ字形のものであり、上側の支持部５６ａの上面と、下側の支持部５６ａの下面には、ベース板５３に対して着脱可能に係合するための弾性係合爪５６ｂ，５６ｂが形成されている。
【００５３】
上側の支持部５６ａと下側の支持部５６ａの互いの対向面５６ｃ，５６ｃには、規制部材５５を揺動自在に支持するための支持孔（図示しない）が形成されている。
【００５４】
規制部材５５の構成は、次の通りである。
５５ａは、固定部材５６の図示しない支持孔を中心とした水平面上で揺動自在な基部であり、これの一側部（外側部）には、上記本体枠９に配設した操作用バー１２に対向当接するようにしてバー当接部５５ｂが形成されており、また、他側部（内側部）には、上記案内弁体５２の当接部５２ｂに当接係止するための係止アーム５５ｃと、弾性片５５ｄとが互いに上下にして形成されている。
【００５５】
係止アーム５５ｃは横長に形成した板状体であり、これの先端部であって背面側には、円柱状突起５５ｅが突出して形成されているとともに、その円柱状突起５５ｅの基部側には、平面視において略台形の係止片部５５ｆが形成されている。
【００５６】
弾性片５５ｄは、係止アーム５５ｃよりも細長い横長方形に形成されており、これの先端がベース板５３の背面に当接した状態において、上記操作用バー１２から加えられる外力によって弾性変形するようになっている。
【００５７】
この弾性片５５ｄと上記係止アーム５５ｃとは、平面視において、係止アーム５５ｃが弾性片５５ｄよりもベース板５３側に接近する所要の角度をなして形成されており、また、係止アーム５５ｃとバー当接部５５ｂとは、図示しない上記支持孔を中心として所要の角度をなして形成されている。
【００５８】
すなわち、規制部材５５は、弾球遊技機の正面側からの操作、従ってまた、操作用バー１２から加えられる外力に従い、案内弁体５２を上記第１の案内位置（ハ）に保持する保持位置（ホ）と、上記第２の案内位置（二）に揺動することを許容する揺動許容位置（へ）との間で揺動変位するようになっている。
【００５９】
このとき、弾性片５５ｄの先端部は、規制部材５５の係止アーム５５ｃが保持位置（ホ）に位置しているときにベース板５３の背面に当接しており、揺動許容位置（へ）に向けて揺動し始めた直後から弾発力が次第に強まるようになる。
換言すると、弾性片５５ｄによる弾発力は、規制部材５５を揺動許容位置（へ）から保持位置（ホ）に向けて作用するようになっている。
【００６０】
次に、上記の構成からなる球抜き装置Ｂの動作について、図１８〜２１をも参照して説明する。図１８は、球誘導路内を流下する遊技球を球払出し装置に向けて案内している状態を示す部分背面図、図１９は、遊技球を球誘導路外に案内し始めた状態を示す部分背面図、図２０は、球補給タンクから球抜き装置に到る球誘導路の遊技球が無くなった状態を示す部分背面図、図２１は、球補給タンクから球抜き装置に到る球誘導路の遊技球を抜き終わった状態を示す部分背面図である。
【００６１】
＜球誘導路内を流下する遊技球を球払出し装置に向けて案内している状態＞
図１８に示すように、球誘導路５１内を流下する遊技球ａを球払出し装置４２に向けて案内している状態においては、案内弁体５２は第１の案内位置（ハ）に位置している。
【００６２】
また、規制部材５５は保持位置（ホ）に位置しており、円柱状突起５５ｅと係止片部５５ｆとが、案内弁体５２の当接部５２ｂの上面に、これの上方から当接した状態になっている。
従って、案内弁体５２に、球誘導路５１内に滞留している遊技球ａ…の重さが加わっているのにも関わらず、案内弁体５２が第２の案内位置（二）に移動することを規制できる。
【００６３】
＜遊技球を球誘導路外に案内し始めた状態＞
遊技球ａ…を球誘導路５１外に案内するとき、換言すると、球抜きを行うときには、球抜き棒２３を球抜き用操作孔１９を挿入して操作用バー１２を押し込む。
【００６４】
その押し込みに従って操作用バー１２が摺動することによって、規制部材５５を保持位置（ホ）から揺動許容位置（二）に移動させる。
その移動の途中において、規制部材５５による案内弁体５２の規制が解除され、案内弁体５２は、球誘導路５１内に滞留されている遊技球ａ…によって、第１の案内位置（ハ）から、第２の案内位置（二）に向けて移動する。
【００６５】
そして、案内弁体５２が第２の案内位置（二）に移動したときに、球補給タンク４０から案内弁体５２に到る球誘導路５１内の遊技球ａ…は、当該球誘導路５１外に流下し始め、これにより所謂球抜きを行うことができる。
【００６６】
図２０に示すように、球補給タンク４０から案内弁体５２に到る球誘導路５１内の遊技球ａの球抜きが完了すると、案内弁体５２に加わる外力が滅失し、当該案内弁体５２は自重によって第１の案内位置（ハ）に復帰移動する。
【００６７】
図２１に示すように、案内弁体５２が第１の案内位置（ハ）に移動すると、規制部材５５が弾性部材５５ｄの弾性力によって保持位置（ホ）に復帰移動する。
【００６８】
ところで、図６に戻って制御回路について説明すると、主制御装置４３は、遊技制御プログラムに従って弾球遊技機Ａ全体を制御する機能を有するＣＰＵ（Central Processing Unit）５７、上記遊技制御プログラム（乱数テーブルを含む）等が記憶されたＲＯＭ（Read Only Memoly）５８及びＣＰＵ５７のワーク用メモリ（状態データテーブル、乱数メモリを含む）として機能するＲＡＭ（Randam Access Memory）６０等からなる。
【００６９】
上記主制御装置４３の入力側には、上記電源装置４４、リセットパルスを定期的にＣＰＵ５７に送信する乱数発生回路６１、玉貸信号制御回路６２、集中管理装置６３の他、入力インターフェース６４を介して、上記始動入賞口３０に入賞した遊技球を検知する始動入賞球検知センサ６５、上記遊技球射出装置Ｈから射出される遊技球を検知する遊技球発射検知センサ６６、大入賞球検知センサ６７、継続球検知センサ６８、小入賞球検知センサ６９及び賞品球払出検知センサ７０等が接続されている。
【００７０】
上記主制御装置４３の出力側には、出力インターフェース７１を介して、上記図柄制御装置４５、ランプ制御装置４６、音声制御装置４７、払出制御装置４８及び発射制御装置４９が接続されており、それらの詳細は次の通りである。
【００７１】
図柄制御装置４５は、ＣＰＵ４５Ａ、このＣＰＵ４５Ａに接続されたＲＯＭ４５Ｂ及びＲＡＭ４５Ｃが搭載されてなるものであり、これの出力側には、画像表示用プロセッサ（ＶＤＰ:Video Display Processor）７２を介して表示部２９が、また、画像表示用プロセッサ７２を介することなく、例えばＬＣＤ等の普通図柄表示装置７３が接続されている。
【００７２】
すなわち、図柄制御装置４５は、上記主制御装置４３から送信される制御信号に基づき、画像表示用プロセッサ７２を介して表示部２９を表示制御するとともに、普通図柄表示装置７３を表示制御する。
ここで、普通図柄とは、始動入賞口２４に設けられた電動役物２７を開くことによって、より入賞し易い状態になることを示唆するような図柄をいう。
【００７３】
ランプ制御装置４６は、ＣＰＵ４６Ａ、このＣＰＵ４６Ａに接続されたＲＯＭ４６Ｂ及びＲＡＭ４６Ｃを搭載してなるものであり、上記主制御装置４３から送信される制御信号に基づいて、保留玉ランプ３１…、盤面ランプ３２，３２及び枠ランプ２１を点滅制御する機能を有している。
【００７４】
音声制御装置４７は、ＣＰＵ４７Ａ、このＣＰＵ４７Ａに接続されたＲＯＭ４７Ｂ及びＲＡＭ４７Ｃを搭載してなるものであり、上記主制御装置４３から送信される制御信号に基づいて、スピーカ２２，２２を制御する機能を有するものである。
【００７５】
払出制御装置４８は、ＣＰＵ４８Ａ、このＣＰＵ４８Ａに接続されたＲＯＭ４８Ｂ及びＲＡＭ４８Ｃを搭載してなるものであり、上記主制御装置４３から送信される制御信号に基づいて、球払出し装置４２及びＣＲ（Card Reader）ユニット７４を制御する機能を有している。
【００７６】
発射制御装置４９は、上記主制御装置４９から送信される制御信号に基づき、遊技球射出装置Ｈを制御する機能を有しているものである。
【００７７】
なお、本発明は前述した実施形態に限るものではなく、次のような変形実施が可能である。
上記においては、弾球遊技機としてぱちんこ機を例として説明したが、例えばピンボールマシンやスマートボールマシン等にも適用できるものと考えられる。
【００７８】
【発明の効果】
以上のように本発明によれば、球抜き装置に、球誘導路の湾曲部分における路壁の一部を形成し、球誘導路に滞留している遊技球をその重さにより球払出し装置に案内する第１の案内位置から球誘導路の外部に案内する第２の案内位置に揺動変位可能な案内弁体と、この案内弁体に隣接して配置され、弾球遊技機の正面側からの操作に従い、案内弁体を第１の案内位置に保持する保持位置と第２の案内位置に揺動することを許容する揺動許容位置との間で揺動させる規制部材と、弾球遊技機の本体枠に摺動自在に配設され、規制部材を保持位置と揺動許容位置とに移動させる操作用バーとを含ませるので、簡単な構成にしながらも、弾球遊技機の正面側からの簡単な操作により、球抜き作業を迅速かつ簡単に行うことができるという効果がある。
【００７９】
また、案内弁体は、これの自重によって第１の案内位置に位置し、かつ球誘導路に滞留している遊技球の重さにより第２の案内位置に移動するように形成されているので、案内弁体を第２の案内位置に移動させるための機構を設ける必要がなく、構成を簡素化することができる。
【００８０】
また、操作用バーが、バー本体の正面側端部に、そのバー本体よりも大きな面積からなる操作部を形成してなるので、球抜き棒に当接する面積を大きくできる結果、確実な操作を行えるとともに、ゴミ等が詰まること等による操作不能状態を回避しやすい。
【００８１】
また、本体枠に開閉自在に取り付けられたガラス扉には、これの操作用バーに対向する位置に、その操作用バーを押圧操作する球抜き棒を遊挿するための操作用孔が形成されているので、ガラス扉を開閉することなく、球抜き作業を容易に行うことが可能になる。
【００８２】
また、球誘導路を、球補給タンクから送給される遊技球が２列になって流下するように区画しているので、球払出し装置に対して遊技球を迅速に補給できるとともに、流下する遊技球が球誘導路内で詰まる等の現象を防止することが可能となる。
【００８３】
さらに、規制部材が、案内弁体に当接する当接部と、この当接部を保持位置に常時位置させておくための弾性部とを有しており、本体枠の背面側に配設した固定部材に、その本体枠の背面に対して直交する方向で揺動自在に支持されているので、部品点数の低減を図ることができるという効果がある。
【図面の簡単な説明】
【図１】一実施形態に係る本発明球抜取り装置を搭載した弾球遊技機の外観斜視図である。
【図２】同上の弾球遊技機の正面図である。
【図３】同上の弾球遊技機のガラス扉とオーナメントカバーとを取り外した状態の正面図である。
【図４】図３に包囲線Ｉで示す部分を、側面から見た部分断面図である。
【図５】弾球遊技盤の背面図である。
【図６】同上の弾球遊技機の制御回路を示すブロック図である。
【図７】球補給タンク，球整列タンク及び球抜き装置の拡大詳細図である。
【図８】図７に示す球抜き装置のカバーを外した状態の拡大背面図である。
【図９】図８に示すＩ‐Ｉ線に沿う断面図である。
【図１０】図８に示すＩＩ‐ＩＩ線に沿う断面図である。
【図１１】案内弁体の拡大背面図である。
【図１２】その拡大側面図である。
【図１３】弁体規制アッセンブリの背面図である。
【図１４】その側面図である。
【図１５】その平面図である。
【図１６】弁体規制アッセンブリの動作状態を示すものであり、規制部材が保持位置に移動している状態を示す平面図である。
【図１７】弁体規制アッセンブリの動作状態を示すものであり、規制部材が保持位置に移動している状態を示す平面図である。
【図１８】球誘導路内を流下する遊技球を球払出し装置に向けて案内している状態を示す部分背面図である。
【図１９】遊技球を球誘導路外に案内し始めた状態を示す部分背面図である。
【図２０】球補給タンクから球抜き装置に到る球誘導路の遊技球が無くなった状態を示す部分背面図である。
【図２１】球補給タンクから球抜き装置に到る球誘導路の遊技球を抜き終わった状態を示す部分背面図である。
【図２２】従来の弾球遊技機の概略背面図である。
【図２３】その要部を示す拡大詳細図である。
【符号の説明】
８              遊技盤
９              本体枠
１０            ガラス扉
１２            操作用バー
１２ａ          バー本体
１２ｂ          操作部
１３            バー支持部
１９ｂ          操作用孔
４０            球補給タンク
４２            球払出し装置
５１            球誘導路
５１ｆ          路壁
５２            案内弁体
５２ｂ          当接部
５５            規制部材
５５ｄ          弾性部
５６            固定部材
（ハ）          第１の案内位置
（二）          第２の案内位置
（ホ）          保持位置
（へ）          揺動許容位置
ａ              遊技球
【図１】
0003889969.tif 000002
【図２】
0003889969.tif 000003
【図３】
0003889969.tif 000004
【図４】
0003889969.tif 000005
【図５】
0003889969.tif 000006
【図６】
0003889969.tif 000007
【図７】
0003889969.tif 000008
【図８】
0003889969.tif 000009
【図９】
0003889969.tif 000010
【図１０】
0003889969.tif 000011
【図１１】
0003889969.tif 000012
【図１２】
0003889969.tif 000013
【図１３】
0003889969.tif 000014
【図１４】
0003889969.tif 000015
【図１５】
0003889969.tif 000016
【図１６】
0003889969.tif 000017
【図１７】
0003889969.tif 000018
【図１８】
0003889969.tif 000019
【図１９】
0003889969.tif 000020
【図２０】
0003889969.tif 000021
【図２１】
0003889969.tif 000022
【図２２】
0003889969.tif 000023
【図２３】
0003889969.tif 000024